(57)【特許請求の範囲】
【請求項１】
腕時計外装部品の表面に、汚れ溜まり部を有し、該汚れ溜まり部が洗浄手入れをする時期を知らせるサイン機能を有することを特徴とする腕時計。
【請求項２】
汚れ溜まり部の内面が着色されていることを特徴とする請求項１に記載の腕時計。
【請求項３】
汚れ溜まり部の内面に、凹部または凸部があることを特徴とする請求項１または請求項２に記載の腕時計。
【請求項４】
汚れ溜まり部の内面に、被覆層を有することを特徴とする請求項１から請求項３のいずれか１項に記載の腕時計。
【請求項５】
被覆層が汚れ剥離機能を有することを特徴とする請求項４に記載の腕時計。
【請求項６】
汚れ溜まり部の少なくとも一部が、腕時計外装部品の端部に設けられていることを特徴とする請求項１から請求項５のいずれか１項に記載の腕時計。
【発明の詳細な説明】
【０００１】
【発明の属する技術分野】
本発明は、腕時計の外装部品に関するものである。
【０００２】
【従来の技術】
腕時計は、常に身体に接した状態で長期間使用するために、垢や皮脂、体毛、汗、埃などの汚れが付着する。特に腕時計の裏蓋周り、バンドの裏面、バンド駒の隙間などには、これらの汚れが溜まりやすい。しかし、こうした腕時計の汚れは、容易に認識することができないため、洗浄等の手入れを行わずに使用を続け、汚れを蓄積させてしまうことが多かった。
【０００３】
一方、家庭用電気掃除機においては、集塵室のごみの溜まり具合を使用者に知らせるためのサイン機構が考案、実施されている（特開平５−２５３１５０号公報）。しかし、腕時計の汚れに関して、その付着量を知らせる機能を有するものは、考案、実施されていなかった。
【０００４】
【発明が解決しようとする課題】
腕時計を洗浄等の手入れを行わずに長期間使用した場合、人体に起因した汗や皮脂、垢、体毛などの汚れや、外界からの埃などが外装部品に付着し、徐々に蓄積する。その結果、腕時計の美観を損ねるだけでなく、衛生的不快感を感じたり、さらにひどい場合には、かゆみが発生するという問題点を有していた。
【０００５】
〔発明の目的〕
したがって本発明の目的は、上記問題点を解決して、携帯者が腕時計の汚れ具合を容易に把握し、洗浄等の手入れの時期を知ることが可能な腕時計を提供することにある。
【０００６】
【課題を解決するための手段】
上記目的を達成するために、本発明の腕時計は、腕時計外装部品の表面に、洗浄手入れをする時期を知らせるサイン機能としての汚れ溜まり部を備えたことを特徴とする。また、前記汚れ溜まり部の内面に、着色処理が施されているか、あるいは／なおかつ凹凸が施されていることを特徴とする。さらに前記汚れ溜まり部の内面に、汚れ剥離機能を有する表面処理が施されていることを特徴とする。さらに前記汚れ溜まり部の少なくとも一部が、腕時計外装部品の端部に設けられていることを特徴とする。
【０００７】
〔作用〕
本発明における腕時計は、腕時計外装部品の表面に汚れ溜まり部を備え、汚れの蓄積に伴って前記汚れ溜まり部の色や形状の見え方が変化する。これによって携帯者は、腕時計の汚れ量を容易に把握することができ、手入れの時期を知らせるサイン機能として利用することができる。さらに、本発明における前記汚れ溜まり部は、蓄積した汚れの除去性にも優れている。
【０００８】
【発明の実施の形態】
以下、本発明を実施するための最良の形態における腕時計について説明する。
【０００９】
本発明における腕時計の汚れ溜まり部は、凹型の溝状となっており、時計ケース、裏蓋、バンド駒など腕時計外装部品の任意の部分に設けることができるが、汚れの溜まり易さという点から、裏蓋周り、バンドの裏側など、直接腕と接する面に設けることが好ましい。さらに、本発明おける汚れ溜まり部の少なくとも一部は、外装部品の端部に位置していることが好ましい。この場合には、汚れ溜まり部の汚れをブラシやワイヤー等を用いて容易に掃き出すことができるため、蓄積した汚れの除去性を向上させることができる。
【００１０】
また、前記汚れ溜まり部の断面形状はＶ型、Ｕ型、長方形型、台形型、半円型、およびこれらを組み合わせた形状などが可能である。Ｖ型や台形型の場合は、汚れの蓄積と共に汚れに起因した線が太く見えるため、線の太さによって手入れの時期を判断することができる。また、Ｕ型や半円型の場合は、長方形型などに比べて、蓄積した汚れを除去しやすいという利点がある。
【００１１】
ここで、本発明における汚れ溜まり部の幅は０．２ｍｍないし２ｍｍであることが好ましい。０．２ｍｍより狭い場合は、汚れの線を認識しにくくなり、２ｍｍを超えると汚れが溜まるのに時間がかかり、洗浄のタイミングが遅くなる。また、汚れ溜まり部の深さは０．１ｍｍないし２ｍｍであることが好ましい。０.１ｍｍより浅い場合は汚れの溜まり具合を認識するのが困難となり、２ｍｍより深い場合は溜まった汚れの除去が困難となる。さらに、汚れ溜まり部の長さは、１ｍｍ以上であることが好ましい。１ｍｍより短い場合は、溜まった汚れの除去が困難となる。また、本発明における前記汚れ溜まり部による線は、任意の形状が可能であり、直線などのほかにイラストや文字を形成しても良い。
【００１２】
さらに本発明における前記汚れ溜まり部の内面は、着色処理が施されていることが好ましい。例えば、外装部品の材質がステンレスなどの金属製の場合、下地と汚れの色の区別が付きにくく、汚れ量を判断するのは困難である。ここで本発明においては、前記汚れ溜まり部の内面が汚れが目立つ色に着色されているため、汚れ具合を容易に把握することができる。ここで、汚れ溜まり部内面は、光沢がないことが好ましく、白、赤、青など任意の色に着色することができる。着色の方法は、汚れ溜まり部の内面を塗装したり、アルミナ等の無機物の薄膜を形成しても良い。さらに汚れ溜まり部内面の色を、深さに応じて複数に変化させ、汚れ具合を数段階に判断することもできる。
【００１３】
さらに本発明における汚れ溜まり部の内部表面には、凹凸が設けられていることが好ましい。すなわち、汚れが蓄積するにしたがって、凹部の下地が汚れで見えなくなり、凸部のみの下地が目立つようになる。さらに汚れが蓄積すると凹凸部全体が汚れに埋もれることを利用して、手入れの時期を判断することができる。ここで、凹凸を形成する方法としては、ホーニング処理や凹部内側の表面にさらに溝を形成する方法などが挙げられる。
【００１４】
さらに本発明における汚れ溜まり部の内面には、汚れ剥離機能を有する表面処理が施されていることが好ましい。表面処理としては、フッ素樹脂のコーティングなどを利用することができる。このような表面処理を施すことにより、汚れ溜まり部に蓄積した汚れを、ブラシや粘着テープなどを用いて容易に除去することができる。
【００１５】
従来の腕時計にも、裏蓋の刻印部分などに溝状の凹部は存在していたが、汚れの溜まり具合を知らせるサイン機構としては使用できなかった。その理由は、それらの溝が本来、汚れを溜めることを目的としたものではないために、溝の幅が狭すぎたり、溝の内面が外装部品と同じ金属色でなおかつ平坦であるため、汚れ具合を認識することが極めて困難であったためである。さらに、従来の腕時計に存在する溝部分では、汚れの抜け道がなく、しかも時間の経過と共に汚れが強固に付着するため、いったん汚れが蓄積してしまうと、汚れの除去が非常に困難であった。一方、本発明による腕時計に備え付けられた汚れ溜まり部は、汚れの溜まり具合がわかりやすく、さらに溜まった汚れを容易に除去することができる形状および表面状態を有しているため、手入れ時期を知らせるサイン機構として繰り返し使用することができる。
【００１６】
次に本発明による腕時計の使用方法について説明する。本発明による腕時計は、従来の腕時計と全く同様に携帯し、例えば、汚れによって汚れ溜まり部内側の色や凹凸が見えなくなった段階で、腕時計の汚れや汚れ溜まり部に蓄積した汚れを除去すればよい。汚れの除去は、柔らかい布やブラシ、ワイヤー、粘着テープ等を用いたり、超音波洗浄などを利用して行うことができる。本発明の腕時計をこのように使用することにより、腕時計に多量の汚れが蓄積することを防止し、常に清潔で快適な装着感を維持することができる。
【００１７】
【実施例】
以下、本発明の実施例を、図面に基づいてさらに詳細に説明する。
【００１８】
（実施例１）
図１は、本発明における実施例１を示す図であり、図１（Ａ）はバンド駒の斜視図である。本実施例におけるバンド駒は、通常の腕時計用のバンドとして使用される例えばステンレス製のものである。図１（Ａ）において、バンド駒１の少なくとも一個について、腕接触面２の表面に、バンド駒１の両端を結ぶ直線状に汚れ溜まり部３が設けられている。ここで図１（Ｂ）は、図１（Ａ）に示した汚れ溜まり部３の断面図である。図１（Ａ）における汚れ溜まり部３の形状は、長さが１６ｍｍ、幅が１ｍｍ、深さが１ｍｍのＶ溝形となっている。また図１（Ｂ）に示した汚れ溜まり部の内部表面は、深さ１ｍｍから０．５ｍｍまでが白色の塗料で着色された白色着色部４であり、深さ０．５ｍｍからバンド駒表面までが赤色の塗料で着色された赤色着色部５である。すなわち、使用前には、白色着色部４と赤色着色部５によって、携帯者には太い赤色の線の中央部に白色の線が見えた状態になっている。
【００１９】
図２は、実施例１に示した汚れ溜まり部３において、汚れの蓄積が進行する様子を（Ａ）、（Ｂ）の順に示した断面図である。本実施例における腕時計では、携帯中に汚れ６が、汚れ溜まり部に蓄積する。図２（Ａ）に示したように、汚れによって白色着色部４が隠れると、携帯者には、中央に見えていた白色の線が汚れによって見えなくなり、赤色の線部分だけが変わらず見えている状態になる。さらに図２（Ｂ）に示したように、汚れ溜まり部が汚れ６で満たされてしまうと、赤色の線も見えなくなる。このように、例えば、白色着色部４による白い線が見えなくなったら、そろそろ手入れをする時期と判断し、赤色着色部５による赤い線が見えなくなったら必ず洗浄等の手入れを行うというように、汚れ溜まり部３のＶ溝を洗浄時期を知らせるサインとして利用する。
【００２０】
赤色着色部５まで汚れが溜まった段階では、腕時計の裏蓋周りなど、他の部分にもかなり汚れが付着している。そこで、この時点で汚れ溜まり部３の汚れを含めて時計の汚れを除去して使用する。腕時計の手入れは、柔らかい布で拭き取ったり、ブラシやワイヤーを用いたり、水道水で洗浄したり、バンド部分を外して超音波洗浄を行えば良い。また本実施例では、汚れ溜まり部３が、バンド駒１の両端を結ぶ直線状に形成されているため、ワイヤー等を用いて溜まった汚れを容易に除去することができる。このように、本実施例では定期的に腕時計の手入れをすることができるため、腕時計を常に清潔な状態に保つことができる。
【００２１】
（実施例２）
図３は、本発明における実施例２を示す図であり、図３（Ａ）は腕時計本体裏面の平面図である。図３（Ａ）において裏蓋７の表面には、汚れ溜まり部からなる洗浄指示マーク８が設けられている。図３（Ｂ）は、洗浄指示マーク８の輪郭部分を構成する汚れ溜まり部の断面図である。図４は、図３（Ｂ）におけるａ部の拡大図である。ここで、裏蓋７は通常の腕時計の外装部品として使用される例えばステンレス製の板材からなり、洗浄指示マーク８の輪郭部分は、汚れ溜まり部の線を直径１５ｍｍのイラストとして利用したものである。図３（Ｂ）に示すように、洗浄指示マーク８の汚れ溜まり部の断面は、幅が２．１ｍｍ、深さが１．２ｍｍであり、その底面に幅０．３ｍｍ、高さ０．６ｍｍの溝が３本形成されており、凹部９と凸部１０が存在している。図４に示すように、汚れ溜まり部の内部表面は黄色の塗料による黄色着色部１１の上にさらに、無色のフッ素樹脂膜１２が施されている。すなわち、使用前には汚れ溜まり部が太さ２．１ｍｍの一本の黄色の線として見えている。
【００２２】
図５は、実施例２に示した洗浄指示マーク８を構成する汚れ溜まり部において、汚れの蓄積が進行する様子を（Ａ）、（Ｂ）の順に示した断面図である。本実施例における腕時計では、携帯中に汚れ６が、汚れ溜まり部に蓄積する。例えば図５（Ａ）に示したように、汚れが深さ０．３ｍｍまで蓄積すると、凹部９の上面は汚れによって黄色の塗料が見えなくなるため、携帯者には、凸部１０の上面に塗布された黄色の塗料によって３本の線として見える。次に、図５（Ｂ）に示したように、さらに汚れが蓄積して凸部１０の部分も汚れによって隠れてしまうと、汚れ溜まり部は全体が汚れの色として見えるようになる。このように、洗浄指示マーク８の黄色い線の見え方の変化を、洗浄時期を知らせるサインとして利用する。さらに、本実施例の汚れ溜まり部表面には、フッ素樹脂膜が施されているため、ブラシ等を用いて汚れを容易に除去することができる。このように、本実施例では定期的に腕時計の手入れをすることができるため、腕時計を常に清潔な状態に保つことができる。
【００２３】
【発明の効果】
本発明によれば、腕時計外装部品の表面に汚れ溜まり部を備え、汚れの蓄積に伴って前記汚れ溜まり部の色や形状の見え方が変化することを利用して、携帯者に腕時計の手入れの時期を知らせるサイン機構として使用することができる。さらに本発明によれば、前記汚れ溜まり部に蓄積した汚れを容易に除去して繰り返し使用することができる。したがって、腕時計が汚れた時点で定期的に手入れを行う習慣が身に付き、常に清潔で快適な装着感を維持することができる。
【図面の簡単な説明】
【図１】実施例１を示す図であり、（Ａ）はバンド駒の斜視図、（Ｂ）は（Ａ）における汚れ溜まり部３の断面図である。
【図２】実施例１に示した汚れ溜まり部３の断面図であり、汚れの蓄積が進行する様子を（Ａ）、（Ｂ）の順に示した図である。
【図３】実施例２を示す図であり、（Ａ）は腕時計本体裏面の平面図、（Ｂ）は（Ａ）における洗浄指示マーク８を構成する汚れ溜まり部の断面図である。
【図４】図３（Ｂ）におけるａ部の拡大図である。
【図５】実施例２に示した洗浄指示マーク８を構成する汚れ溜まり部の断面図であり、汚れの蓄積が進行する様子を（Ａ）、（Ｂ）の順に示した図である。
【符号の説明】
１  バンド駒
２  腕接触面
３  汚れ溜まり部
４  白色着色部
５  赤色着色部
６  汚れ
７  裏蓋
８  洗浄指示マーク
９  凹部
１０  凸部
１１  黄色着色部
１２  フッ素樹脂膜
【図１】
0004503765.tif 000002
【図２】
0004503765.tif 000003
【図３】
0004503765.tif 000004
【図４】
0004503765.tif 000005
【図５】
0004503765.tif 000006